(57)【要約】【課題】  遊技台を曲線状に配置して構成された遊技島などにも対応でき、また建物内に遊技島を配置する際に障害となる柱などの障害物を回避可能な、紙片搬送装置を提供する。【解決手段】  曲線搬送装置は、複数の連接セグメントを連ねて形成した連接通路を有する。隣接する連接セグメント同士は、屈曲可能に連結され、これにより連接通路は湾曲可能となっている。紙幣は、駆動部２４により連接通路へ、更に下流の搬送機構へと送り込まれる。各連接セグメントには、下流側の隣接する連接セグメント内に進入するように、誘導片が設けられ、隣接するセグメント間の橋渡しとなるように機能する。搬送経路の曲線の外側壁面において、これらの誘導片は、ほぼ一つの円弧上に配置される。誘導片および連接セグメントの外側の内壁面は、搬送方向に沿って、なめらかに形成され、紙幣のつまりが防止される。【選択図】        図３
2008047138.tif 000002
【特許請求の範囲】
【請求項１】
紙片の搬送経路において湾曲した曲線経路を形成する紙片搬送装置であって、
紙片が通過する開口を有する複数の連接セグメントが、前記開口を連ねるようにして、また隣接する連接セグメント同士が屈曲可能に連接された連接経路であって、当該連接通路内には紙片を送るための駆動機構が配置されていない、連接通路と、
前記連接通路の湾曲中心を軸として形成した円弧状壁面と、
前記連接通路内に紙片を送り込む駆動部と、
を有し、
前記連接セグメント同士が屈曲して前記連接通路が湾曲し、前記湾曲経路が形成され、
前記連接セグメントの全て、または一方の端を除いた残りの連接セグメントと係合し、連接セグメントの連なる方向に沿って延び、弾性を有する長尺部材であって、前記連接通路を湾曲させたときに、当該長尺部材の弾性復元力によって連接通路が全体として一つの略円弧の経路に形成される、長尺部材、を有する、紙片搬送装置。
【発明の詳細な説明】
【技術分野】
【０００１】
本発明は、紙幣などの紙片を搬送する装置、特に搬送経路を曲線状とすることができる紙片搬送装置に関する。
【背景技術】
【０００２】
パチンコ店、ゲームセンタなどでは、パチンコ台やゲーム機（以下、遊技台という）が、複数台並べられた遊技島が形成されている。この遊技島においては、遊技台と共にパチンコ玉やメダルを貸し出す遊技媒体貸出機が配置されている。遊技媒体貸出機の数は、多くの場合、遊技台１台に対して１機配置されている。遊技島には、その遊技島に属する遊技媒体貸出機に投入された紙幣を、遊技島の端に設けられた回収装置に送る紙片搬送装置が内部に設けられている。
【０００３】
遊技島は、遊技台を直線状に配列したものが一般的であるが、店内レイアウト上の要請により円弧など曲線状に配列する場合がある。このような場合、紙幣の搬送経路も遊技台の配列に合わせて曲線状となる。このような曲線状の遊技島を形成する場合の紙片搬送装置が特開平１１−２６３４６７号公報に記載されている。この公報に記載の紙片搬送装置は、開口を有する搬送方向調整体と呼ばれる複数の箱が、前記開口が連なって紙幣が搬送される経路となるように配列されている。また、搬送方向調整体は隣接するもの同士、搬送される紙幣が形成する面内であって搬送方向に直交する方向を軸線として、屈曲可能に連結されている。隣接する搬送方向調整体同士の屈曲によって、全体として搬送経路は曲線となる。
【０００４】
この搬送方向調整体の各々にはローラが設けられ、これらのローラにベルトが掛け渡されている。このベルトによって紙幣が狭持され、駆動部の駆動によって回動するベルトによって紙幣が搬送される。
【発明の開示】
【発明が解決しようとする課題】
【０００５】
前述の公報に記載された紙片搬送装置においては、多くの搬送方向調整体を連ねて曲線状の経路を形成しているが、個々の搬送方向調整体にローラを設けたり、これらのベルトを渡したりしてあり、構造が複雑のため組立てが面倒であり、それらに伴って高価となり、保守性も良好とは言えなかった。
さらに、多くの搬送方向調整体を連ねて曲線状の経路を形成した際、隙間が生じてしまい、該隙間から埃やゴミなどの異物が侵入してしまい、特に長年使用していると紙幣の搬送に悪影響（紙幣詰まり等の故障の要因）を及ぼしていた。
【０００６】
本発明は、前述の問題点を考慮してなされたものであり、遊技台を曲線状に配置して構成された遊技島などにも対応でき、また建物内に遊技島を配置する際に障害となる柱などの障害物を回避可能な、紙片搬送装置を提供することを目的とする。
【課題を解決するための手段】
【０００７】
前述の課題を解決するために、本発明にかかる紙片搬送装置は、紙片の搬送経路において湾曲した曲線経路を形成する紙片搬送装置であって、紙片が通過する開口を有する複数の連接セグメントが、前記開口を連ねるようにして、また隣接する連接セグメント同士が屈曲可能に連接された連接経路であって、当該連接通路内には紙片を送るための駆動機構が配置されていない、連接通路と、前記連接通路の湾曲中心を軸として形成した円弧状壁面と、前記連接通路内に紙片を送り込む駆動部と、を有し、前記連接セグメント同士が屈曲して前記連接通路が湾曲し、前記湾曲経路が形成され、前記連接セグメントの全て、または一方の端を除いた残りの連接セグメントと係合し、連接セグメントの連なる方向に沿って延び、弾性を有する長尺部材であって、前記連接通路を湾曲させたときに、当該長尺部材の弾性復元力によって連接通路が全体として一つの略円弧の経路に形成される、長尺部材、を有する、ことを特徴とする。
【発明の効果】
【０００８】
このように、湾曲した曲線経路を有するユニット式の紙片搬送装置と、直線状の経路を有するユニット式の紙片搬送装置をそれぞれ複数連結することにより、遊技台が曲線状に配置された遊技島などの曲線状の搬送路を形成することが出来る。
【発明を実施するための最良の形態】
【０００９】
以下、本発明の実施の形態（以下、実施形態という）を、図面に従って説明する。図１は、パチンコ台などの遊技台１０を曲線状に配置した遊技島１２の一部を示す図である。遊技島１２の図示する部分は、略円弧状に遊技台１０が配列された部分で、円弧の外側が遊技者に相対する面である。各遊技台１０の遊技者から向かって右側にはパチンコ玉などを貸し出す遊技媒体貸出機１４が設けられている。
遊技媒体貸出機１４は、遊技者が投入した紙幣の額に応じてパチンコ玉などの貸し出しを行う。投入された紙幣は、遊技媒体貸出機１４から、配列された遊技台１０の内部裏側に設けられた紙片搬送装置１６に送られる。紙片搬送装置１６は、遊技台１０の裏側に、その配列に沿って配置され、遊技島の端に設けられた回収装置１８に達している。紙片搬送装置１６（ユニット式の紙片搬送装置）は、直線搬送装置２０と曲線搬送装置２２を交互に接続して全体として遊技島１２の形状に沿った曲線状に構成されている。
【００１０】
本実施形態においては、紙片（以下、紙幣と称す）は、その紙面の法線が水平面内に在り、長辺が搬送方向に一致する姿勢で搬送される。したがって、紙幣の搬送方向と紙幣の法線方向の双方に直交する方向、即ち搬送される紙幣の紙面を横切る方向が、当該装置を設置したときの上下方向に一致する。この方向、即ち搬送される紙面を横断する方向を、以降単に上下方向と記して説明する。
【００１１】
図２乃至図４には、曲線搬送装置２２の概略構成が示されている。図２は外観斜視図、図３は断面図、図４は分解斜視図である。曲線搬送装置２２は、駆動部２４と屈曲部２６とを有し、駆動部２４には、紙幣を搬送するための駆動機構が設けられている。屈曲部２６は、上下方向に延びる軸線を軸として約９０°の範囲で屈曲可能な構造を有し、その内部に、複数の連接セグメント２８が一列に並んで、また隣接する連接セグメント２８同士が屈曲可能に形成された連接通路３０が設けられている。この連接セグメント２８同士が屈曲することによって、連接通路３０全体が湾曲して、曲線状の経路を形成する。
【００１２】
駆動部２４は、モータ３２と、モータの動力を上下方向に延びる駆動シャフト３４に伝達するギア列を構成するギア３６，３８を納めるギアケース４０と、内部に紙幣の案内を行う駆動部ガイド４２を備えた本体ケース４４と、本体ケース４４の図４中上方を着脱可能に覆うメンテナンスカバー４６を有している。メンテナンスカバー４６内には、駆動部ガイド４２と対応して、カバー内ガイド４８が備えられている。本体ケース４４は、紙幣の横断方向の長さより短く、メンテナンスカバー４６を取り外すと、紙幣の一部が露出する。したがって、紙幣が詰まった場合、メンテナンスカバー４６を外すことにより、詰まった紙幣を破損することなく容易に取出すことが出来る。
【００１３】
駆動部２４内の駆動機構は、前述のモータ３２、駆動シャフト３４、ギア３６，３８に加え、駆動シャフト３４と搬送方向に並んで平行に配置された従動シャフト５０と、駆動シャフト３４から従動シャフト５０に駆動力を伝達するプーリ５２，５４とベルト５６を含む。さらに、二つのシャフト３４，５０には、それぞれ駆動ローラ５８，６０が設けられている。これらの駆動ローラ５８，６０に対向する位置には、対向ローラ６２，６４が対向ローラホルダ６６，６８に保持されて、配置されている。対向ローラ６２，６４は、それぞれ対応する駆動ローラ５８，６０に向けて付勢されており、駆動ローラ５８，６０と共に、これらの間を通過する紙幣を狭持する。モータ３２の駆動力は、以上の駆動機構の作用により駆動ローラ５８，６０より紙幣に伝達され、紙幣は連接通路３０に向けて送り出される。
【００１４】
図４に示されるように、本体ケース４４（上流側筐体）は、本体下ケース４４ａと本体上ケース４４ｂとから構成され、これらのケースは、図４中左奥の方向に延びて屈曲部２６の一部を構成する。本体上ケース４４ｂの屈曲部２６に位置する部分には、上下方向に軸線を有する円環状の円環突条７０が設けられている。本体下ケース４４ａにも、同一の軸線上に円環突条が設けられている（不図示）。  屈曲部２６は、本体ケース４４に加え、これに対して上下方向に延びる軸線周りに旋回する旋回ヘッド７２を含む。旋回ヘッド７２は、上下に分割された下旋回ヘッド７２ａ、上旋回ヘッド７２ｂから構成され、それぞれには、本体ケースの二つの円環突条７０に係合する係合穴７４を有するホルダ部７６が設けられている。このホルダ部７６側を下流側筐体といい、上記上流側筐体とは屈曲中心付近を境に別々に構成されている。尚、上流側筐体には後述する二つの円弧状壁面８４ａの断面形状と略相似形の二つの開口部２６ａが設けられている。
上下の旋回ヘッド７２ａ，７２ｂは、それぞれ隣接する直線搬送装置２２と結合するための結合板７８を備えている。上下の旋回ヘッド７２ａ，７２ｂは、ジョイント８０により結合される。
【００１５】
上下の旋回ヘッド７２ａ，７２ｂは、円環突条７０と係合穴７４が係合するように、本体ケース４４を上下方向から挟むように結合され、旋回ヘッド７２は、円環突条７０の軸線を軸として、およそ９０°の範囲で旋回可能（屈曲可能）と成っている。
また、旋回ヘッド７２には、本体ケース４４と共に屈曲部２６の内部構造を囲む円筒カバー８４が設けられている。この円筒カバー８４には二つの略半円弧形状の円弧状壁面８４ａが形成されていて上述した開口部２６ａに貫装するように成している。該円弧状壁面８４ａは、屈曲時においても貫装状態が保たれる長さに形成されていることにより、隙間が生じなく、搬送内部（内部構造）の連接通路３０などへの埃、ゴミなど異物の侵入を防止している。尚、上記した略半円弧形状の円弧状壁面８４ａは、樹脂材料（例えば、ＡＢＳ樹脂材等）により一体形成されている。
【００１６】
図３と図５は、それぞれ旋回ヘッド７２を、搬送方向に向いて左に、旋回範囲最大に旋回させた状態（図３）と、中立位置にした状態を示す図（図５）である。旋回ヘッド７２の旋回に合わせて内部の連接通路３０が湾曲していることが判る。図３に示す円筒カバー８４に形成された略半円弧形状の円弧状壁面８４ａは、旋回範囲の端においても、本体カバー４４内の一方側の開口部２６ａ内に貫装され、内部構造を覆っていることが示されている。このように屈曲した際（最大位置）においても本体カバー４４の先端と、円弧状壁面８４ａの後端とは隙間が生じることがない。
尚、右に旋回させた場合は、図３と対称となるので、ここでは図示を省略する。
また、ここでの紙片搬送装置１６は、直線搬送装置２０の端部に曲線搬送装置２２を設けて交互に接続して全体として遊技島１２の形状に沿った曲線状に構成したが、直線搬送装置２０の略中間付近に屈曲可能な曲線搬送装置２２を設けた構成に採用しても良い。
【００１７】
ジョイント８０は、結合爪具８２保持するホルダとしても機能する。この結合爪具８２には結合爪８２ａが設けられ、この接合爪８２ａは接合板７８ｂにあけられた穴を貫通して、接合板７８の反対側の面に突出する。この結合爪が、隣接する直線搬送装置２２の結合面（不図示）に設けられた結合穴（不図示）に係合して、搬送装置同士を係合する。
【００１８】
図６乃至図９は、連接通路３０の詳細を示す図である。図６および図７は、連接通路３０を直線状にした状態を示し、図６（ａ）は上方より見た図、図６（ｂ）は図７のＢ−Ｂ線断面図、図７は水平方向に見た図である。図８および図９は、連通路３０を曲線状にした状態を示し、図８（ａ）は上方より見た図、図８（ｂ）は図９のＡ−Ａ線断面図、図９は水平方向に見た図である。
【００１９】
連接セグメント２８は、３種のセグメントより形成される。すなわち、紙幣の搬送方向の最も上流側に配置される導入セグメント２８ａ、最も下流側に配置される排出セグメント２８ｂおよびこれらのセグメント２８ａ，２８ｂを結ぶ中間セグメント２８ｃである。中間セグメント２８ｃは、本実施形態においては４個用いられ、これら４個の形状は全く同一である。個々の連接セグメント２８については、後に詳述する。
【００２０】
図６（ａ）などに示されるように、導入セグメント２８ａと中間セグメント２８ｃの各々の上面には、ピアノ線８６を狭持する対をなす突起８８が設けられている。ピアノ線８６は拘束されない状態では直線状であり、連接通路３０が湾曲されて、ピアノ線８６が曲げられた場合、その弾性力は連接通路３０を直線状態に復帰するように作用する。また、ピアノ線８６の弾性力は、連接通路３０が曲げられた時に、連接通路がＳ字形状とならないように、またはほぼ一つの円弧を描くように作用する。ピアノ線のような線条部材以外にも、細長い板状の板ばね、さらには、柱状などの長尺部材を用いることができる。
【００２１】
図１０および図１１は導入セグメント２８ａの詳細を示す図である。図１０（ａ）が斜視図、図１０（ｂ）が紙幣の搬送方向の上流側から見た図である。図１１は断面図であり、その（ａ）は上下方向に延びる中心面の断面図、（ｂ）が図９に示すＡ−Ａ線による断面図である。導入セグメント２８ａは、概略形状として略長方形の枠形状を有し、その内部に略長方形の開口９０が形成されている。
開口９０を形成する枠９２の上端と下端には、搬送方向下流に向かって延びる連結片９４が設けられている。連結片９４には、中間セグメント２８ｃと係合するための連結穴９６が開けられている。また、枠９２の長辺に沿って７対の誘導片９８が配列されており、個々の誘導片９８は搬送方向下流に向かって延びている。この誘導片９８のそれぞれは、紙幣の搬送経路側の面が、搬送方向に沿ってわずかに内側に凹の円弧に形成されている。図９のＡ−Ａ線断面は、この誘導片９８を含む断面である。なお、誘導片の数については、適宜変更可能である。
【００２２】
導入セグメント２８ａは、枠９２に設けられたフランジ１００が、本体ケース４４に形成された略Ｌ字形状の保持突起１０２（図３参照）に保持されて、本体ケース４４に固定される。
【００２３】
図１２および図１３は排出セグメント２８ｂの詳細を示す図である。図１２（ａ）が斜視図、図１２（ｂ）が紙幣の搬送方向の上流側から見た図である。図１３は断面図であり、その（ａ）は上下方向に延びる中心面の断面図、（ｂ）が図９に示すＡ−Ａ線による断面図である。排出セグメント２８ｂは、概略形状として略長方形の枠形状を有し、その内部に略長方形の開口１０４が形成されている。開口１０４を形成する枠１０６の上端と下端には、中間セグメント２８ｃと係合するための連結突起１０８が設けられている。また、枠１０６には、スリット１１０が設けられている。このスリット１１０は後述する中間セグメント２８ｃの誘導片と、枠１０６の干渉を防止するために設けられている。このスリット１１０は、図示するように誘導片と１対１に対応して設けてもよく、いくつかの誘導片に対して１つを設けるようにもできる。さらに、枠１０６の長辺から、搬送方向下流に向かって延びる１対の誘導板１１２が設けられている。この誘導板１１２は、図３などに示されるように、旋回ヘッド７２の結合板７８より先に、すなわち、隣接する直線搬送装置内へ挿入され、紙幣をなめらかに送り込むよう機能する。また、排出セグメント２８ｂの枠１０６は、円筒カバー８４に保持され、旋回ヘッド７２と一体となって旋回する。
【００２４】
図１４および図１５は中間セグメント２８ｃの詳細を示す図である。図１４（ａ）が斜視図、図１４（ｂ）が紙幣の搬送方向の上流側から見た図である。図１５は断面図であり、その（ａ）は上下方向に延びる中心面の断面図、（ｂ）が図９に示すＡ−Ａ線による断面図である。中間セグメント２８ｃは、概略形状として略長方形の枠形状を有し、その内部に略長方形の開口１１４が形成されている。開口１１４を形成する枠１１６の上端と下端には、連結突起１１８が設けられている。また、枠１１６の上端と下端には、連結穴１２０を有し、搬送方向下流に向かって延びる連結片１２２が設けられている。
【００２５】
連結突起１１８は、隣接する中間セグメント２８ｃまたは導入セグメント２８ａの連結穴９６，１２０と係合する。排出セグメント２８ｂに隣接する中間セグメント２８ｃの連結穴１２０は、排出セグメント２８ｂの連結突起１０８に係合する。これによって、各連接セグメント２８の略長方形の開口９０，１０４，１１４は連なって一つの搬送経路を形成する。また、連結穴９６，１２０と連結突起１０８，１１８の係合によって、隣接する連接セグメント２８同士は屈曲可能となっており、また連接通路３０全体として湾曲させ、搬送経路を曲線状とすることが出来る。
【００２６】
また、枠１１６の長辺に沿って７対の誘導片１２４が配列されており、個々の誘導片１２４は搬送方向下流に向かって延びている。これらの誘導片１２４のそれぞれは、紙幣の搬送経路側の面が、搬送方向沿ってわずかに内側に凹の円弧に形成されている。また、枠１１６の紙幣が接触する壁面も、誘導片１２４と同様な、搬送方向に沿ってわずかに内側に凹の円弧に形成されている。図９のＡ−Ａ線断面は、この誘導片１２４を含む断面である。また、隣接する連接セグメント２８の誘導片１２４，９８と、枠１１６の干渉を防止するために、枠１１６にはスリット１２６が設けられている。これらの誘導片９８，１２４とスリット１１０，１２６は、連接セグメント２８を連結したときに、図８などに示されるように、誘導片が隣接するセグメントのスリット内に進入するようになる。誘導片１２４およびスリット１２６の数は適宜変更することができ、またスリットも誘導片に対して１対１ではなく、いくつかの誘導片にわたるものとしても良い。
【００２７】
図６に示されるように、各連接セグメント２８の枠９２，１０６，１１６は、水平断面において、搬送方向下流側に向けて開口の幅を狭めるように構成され、枠同士の隣接部分では下流に向けて下りの段差が形成されている。これは、図８に示すように連接通路３０を湾曲させた場合も同様であり、登りの段差によって、紙幣の先端が突き当たり、紙詰まりを生じることを防止している。さらに、図８に示されるように、連接セグメントの枠９２，１０６，１１６の間を、誘導片９８，１２４が橋渡しする構成となって、なめらかに紙幣が誘導される。
【００２８】
また、各連接セグメントに設けられた誘導片９８，１２４は、搬送方向に連続して並ぶように、即ち上下方向の位置を揃えて設けられており、湾曲する搬送経路の外側の内壁面において、連続する誘導片９８，１２４の面が全体として略円弧状を形成するようになっている。また、前述のように誘導片９８，１２４の内壁面は内に凹の円弧状に形成されており、各誘導片により形成される面がよりなめらかな面に形成される。さらに、誘導片９８，１２４と枠９２，１０６，１１６の湾曲外側の内壁面が、全体として連続的になめらかにつながっており、紙幣の搬送を妨げることが防止される。前述のように、枠１１６の紙幣が接触する面も内に凹の円弧が形成されており、全体としてなめらかな面が形成されている。また、搬送経路の内側の内壁面の誘導片９８，１２４は、下りの段差となっており、登り段差による紙幣の突き当たりが防止されている。曲線状経路を搬送される場合は、紙幣、特にその先端は主に外側の内壁面に沿って移動するため、外側内平面を十分なめらかにすることが必要である。他方、内側の内壁面においては、下りの段差があってもそれほど問題とはならない。本実施形態の連接通路３０の細部の形状は、上記が達成されるように決定されている。なお、図８は、旋回ヘッド７２を最大に旋回した状態を示しており、本実施形態の紙片搬送装置１６が実際に設置される場合は、曲率はこれより小さくてもよく、その場合は、外側の内壁面においても、若干の下り段差が形成される。
【００２９】
図１６は、直線搬送装置２０と、これの上流側に位置する曲線搬送装置２２とを接続した状態を示す斜視図である。直線搬送装置２０の上流側、曲線搬送装置２２と結合する部分には、遊技媒体貸出機１４からの紙幣を受け入れる紙幣受入部１２８が設けられている。紙幣受入部１２８は、紙幣搬送経路の左右両側に、受入ヘッド１３０を有し、受入ヘッド１３０は直線搬送装置２０に固定されるベース１３２と、紙幣を受け入れる受入開口１３４を有し、ベース１３２に対して上下方向の軸線周りに首を振る首振り部１３６が設けられている。
【００３０】
図１７は、紙幣受入部１２８およびその周囲を上方より見た図であり、二つの受入ヘッド１３０は、首振り部１３６が異なる角度に固定された状態を示している。図１７中、下に示された受入ヘッド１３０の首振り部１３６は、中立位置に固定されており、上に示されたものの首振り部１３６は右に振られた状態が示されている。首振り部１３６は、逆方向にも同じ程度に振ることができるように軸支されている。このように首を振ることにより、図１に示すように、遊技媒体貸出機１４と直線搬送装置２０の角度が直交しない場合にこれらの適合が図られる。
【００３１】
以上、本実施形態の曲線搬送装置２２において、連接通路３０の内壁面、特に湾曲した場合の外側の内平面を紙幣の搬送方向に関して、なめらかに、または少なくとも登りの段差が形成されないようにしたことにより、上流側に設けられた駆動機構によって押して、連接通路３０を通過させ、下流の直線搬送装置２０まで送ることができる。屈曲する連接通路３０内部に、駆動機構を設ける必要がなくなり、構造が簡略となる。
【００３２】
また、連接通路３０の各連接セグメント２８を、共通のピアノ線８６に係合したことにより、ピアノ線８６の弾性力によって連接通路が、Ｓ字形状のように曲がる方向が変化することがなくなり、なめらかな曲線を描くようになる。これにより、紙幣詰まりが防止される。
【００３３】
また、連接通路３０は、本体カバー４４および円筒カバー８４に形成した円弧状壁面８４ａにより覆われており、外部からの埃、ゴミなどの異物の進入が防止され、その内壁面が常に清浄でなめらかな状態が維持される。
【００３４】
また、曲線搬送装置２２内で紙幣が詰まった場合、メンテナンスカバー４６を外すと、紙幣の上辺が露出し、これを排除することができる。メンテナンスカバー４６が上方に設けられていることにより、搬送経路の左右いずれの側からでも取り扱うことができる。即ち、遊技島のレイアウト、例えば遊技者から向かって右に紙幣を送る場合と、左に送る場合などにおいて、どちらについても共通に使用することが出来る。
【００３５】
なお、本実施形態においては、搬送対象を紙幣としたが、所定の大きさを有する薄板状（例えば、カード等）から成る紙片などを搬送することも可能である。
【図面の簡単な説明】
【００３６】
【図１】遊技台を配列した遊技島の概略を示す図である。
【図２】本実施形態の曲線搬送装置の概略構成を示す図である。
【図３】図２の曲線搬送装置の断面図である。
【図４】図２の曲線搬送装置の分解斜視図である。
【図５】図２の曲線搬送装置を直線状態とした図である。
【図６】直線状態の連接通路の詳細を示す図である。
【図７】直線状態の連接通路の詳細を示す図である。
【図８】曲線状態の連接通路の詳細を示す図である。
【図９】曲線状態の連接通路の詳細を示す図である。
【図１０】連接通路を形成する導入セグメントの詳細を示す図である。
【図１１】連接通路を形成する導入セグメントの詳細を示す図である。
【図１２】連接通路を形成する排出セグメントの詳細を示す図である。
【図１３】連接通路を形成する排出セグメントの詳細を示す図である。
【図１４】連接通路を形成する中間セグメントの詳細を示す図である。
【図１５】連接通路を形成する中間セグメントの詳細を示す図である。
【図１６】紙幣受入部およびその周囲を示す斜視図である。
【図１７】紙幣受入部およびその周囲の上面を示す図である。
【符号の説明】
【００３７】
１０    遊技台
１２    遊技島
１６    紙片搬送装置
２０    直線搬送装置
２２    曲線搬送装置
２４    駆動部
２６    屈曲部
２６ａ  開口部
８４    円筒カバー
８４ａ  円弧状壁面
【図１】
2008047138.tif 000003
【図２】
2008047138.tif 000004
【図３】
2008047138.tif 000005
【図４】
2008047138.tif 000006
【図５】
2008047138.tif 000007
【図６】
2008047138.tif 000008
【図７】
2008047138.tif 000009
【図８】
2008047138.tif 000010
【図９】
2008047138.tif 000011
【図１０】
2008047138.tif 000012
【図１１】
2008047138.tif 000013
【図１２】
2008047138.tif 000014
【図１３】
2008047138.tif 000015
【図１４】
2008047138.tif 000016
【図１５】
2008047138.tif 000017
【図１６】
2008047138.tif 000018
【図１７】
2008047138.tif 000019